【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
コンピュータ化された装置であって、
コンピュータ実行可能な命令を実行するように構成されたコンピュータプロセッサと、
コンピュータ実行可能命令を格納したコンピュータメモリであって、前記コンピュータ実行可能命令が前記コンピュータプロセッサによって実行されたとき、前記装置に、
ユーザの設定を取得するためにデータベースにアクセスし、前記ユーザの設定は、
価格を実行できないが見ることができる複数の清算機関の１つ以上の第１の表示であって、前記第１の表示は少なくとも第１の清算機関を特定する第１の表示と、
価格を実行できる複数の清算機関の１つ以上の第２の表示であって、前記第２の表示は少なくとも第２の清算機関を特定する第２の表示と、
前記ユーザから制限された複数の清算機関の１つ以上の第３の表示であって、前記第３の表示は少なくとも第３の清算機関を特定する第３の表示と
を含み、
金融識別子の更新された市場データを自動的に受信する取引所コンピュータシステムに登録し、前記市場データは前記第２の表示に特定された１つ以上の清算機関に関連付けられ、
取引所から、価格属性及び金融識別子の属性を少なくとも含む市場データを受信し、
前記コンピュータプロセッサによって、前記ユーザに表示するためにフォーマットされた情報を生成し、前記情報は前記受信された市場データの少なくとも一部を含み、前記フォーマットは前記ユーザの設定に基づき、
前記コンピュータプロセッサによって前記ユーザに、前記フォーマットされた表示のための情報を送信する
ようにさせることを含むコンピュータメモリと
を含む装置。
【請求項２】
前記受信した市場データの価格属性は前記金融識別子の買呼値及び売呼値を少なくとも格納し、前記買呼値及び売呼値は前記清算機関のそれぞれに固有であり、前記第２の清算機関についての買呼値及び売呼値は複数のレベルの深さ及びマーケット・バイ・オーダーの１つである請求項１に記載の装置。
【請求項３】
前記情報を生成することは、
少なくとも前記第１の清算機関から受信した買呼値及び売呼値をフォーマットし、前記第１の清算機関は第１のスタイルの前記第１の表示で識別され、
少なくとも前記第２の清算機関から受信した買呼値及び売呼値をフォーマットし、前記第２の清算機関は第２のスタイルの前記第２の表示で識別された
ことをさらに含む請求項１に記載の装置。
【請求項４】
前記第１及び第２のスタイルは、選択できるものとして、グレーアウトした部分と、レンダリングした部分とを含む請求項３に記載の装置。
【請求項５】
前記コンピュータメモリはコンピュータ実行可能命令をさらに格納し、前記コンピュータ実行可能命令は前記コンピュータプロセッサによって実行されたときに、前記装置に、
前記コンピュータプロセッサによって、前記第２の表示に対応する清算機関のすべてにわたる最良の買呼値及び売呼値を含む追加情報を生成する
ようにさせる請求項１に記載の装置。
【請求項６】
前記受信した市場データは、清算機関を特定するように構成された属性を含み、第１の市場データ及び第２の市場データはほぼ同一であるが、前記清算機関の属性に基づき前記価格属性について異なる値を含む請求項１に記載の装置。
【請求項７】
前記送信した情報はスクロールするテキストベースのメッセージングインターフェースの一部としての表示に適合するようにフォーマットされた請求項１に記載の装置。
【請求項８】
前記送信した情報は、価格への清算機関のマトリクスとして表示に適合するようにフォーマットされた請求項１に記載の装置。
【請求項９】
コンピュータプロセッサによって、ユーザの設定を取得するためにデータベースにアクセスし、前記ユーザの設定の取得は、
価格を実行できないが見ることができる複数の清算機関の１つ以上の第１の表示であって、前記第１の表示は少なくとも第１の清算機関を特定する第１の表示と、
価格を実行できる複数の清算機関の１つ以上の第２の表示であって、前記第２の表示は少なくとも第２の清算機関を特定する第２の表示と、
前記ユーザから制限された複数の清算機関の１つ以上の第３の表示であって、前記第３の表示は少なくとも第３の清算機関を特定する第３の表示と
を含み、
取引所コンピュータシステムから、価格属性、金融識別子の属性、及び清算機関を特定するように構成された属性の少なくとも１つを含む市場データを受信し、前記市場データは前記第２の表示に特定された１つ以上の清算機関に関連付けられ、
前記コンピュータプロセッサによって、前記ユーザに表示するためにフォーマットされた情報を生成し、前記情報は前記受信された市場データの少なくとも一部を含み、前記フォーマットは前記ユーザの設定に基づき、
前記コンピュータプロセッサによって前記ユーザに、前記フォーマットされた表示のための情報を送信する
ようにさせることを含む方法。
【請求項１０】
前記受信した市場データの価格属性は前記金融識別子の買呼値及び売呼値を少なくとも格納し、前記買呼値及び売呼値は前記清算機関のそれぞれに固有であり、前記第２の清算機関についての買呼値及び売呼値は複数のレベルの深さ及びマーケット・バイ・オーダーの１つであり、第１の市場データ及び第２の市場データはほぼ同一であるが、前記清算機関の属性に基づき前記価格属性について異なる値を含む請求項９に記載の方法。
【請求項１１】
前記情報を生成することは、
少なくとも前記第１の清算機関から受信した買呼値及び売呼値をフォーマットし、前記第１の清算機関は第１のスタイルの前記第１の表示で識別され、
少なくとも前記第２の清算機関から受信した買呼値及び売呼値をフォーマットし、前記第２の清算機関は第２のスタイルの前記第２の表示で識別された
ことをさらに含む請求項９に記載の方法。
【請求項１２】
前記第１及び第２のスタイルは、選択できるものとして、グレーアウトした部分と、レンダリングした部分とを含む請求項１１に記載の方法。
【請求項１３】
前記送信した情報はスクロールするテキストベースのメッセージングインターフェースの一部としての表示に適合するようにフォーマットされた請求項１１に記載の方法。
【請求項１４】
前記送信した情報は、価格への清算機関のマトリクスとして表示に適合するようにフォーマットされる請求項９に記載の方法。
【請求項１５】
コンピュータ実行可能命令を格納する非一時的コンピュータメモリであって、コンピュータプロセッサによって実行されたときに、コンピュータに、
ユーザの設定を取得するためにデータベースにアクセスし、前記ユーザの設定は、
価格を実行できないが見ることができる複数の清算機関の１つ以上の第１の表示であって、前記第１の表示は少なくとも第１の清算機関を特定する第１の表示と、
価格を実行できる複数の清算機関の１つ以上の第２の表示であって、前記第２の表示は少なくとも第２の清算機関を特定する第２の表示と、
前記ユーザから制限された複数の清算機関の１つ以上の第３の表示であって、前記第３の表示は少なくとも第３の清算機関を特定する第３の表示と
を含み、
取引所コンピュータシステムから、価格属性、金融識別子の属性、及び清算機関を特定するように構成された属性の少なくとも１つを含む市場データを受信し、前記市場データは前記第２の表示に特定された１つ以上の清算機関に関連付けられ、
前記ユーザに表示するためにフォーマットされた情報を生成し、前記情報は前記受信された市場データの少なくとも一部を含み、前記フォーマットは前記ユーザの設定に基づき、
前記ユーザへの表示のためにフォーマットされた情報を送信するようにさせる
非一時的コンピュータメモリ。
【請求項１６】
第１の市場データ及び第２の市場データはほぼ同一であるが、前記清算機関の属性に基づき前記価格属性について異なる値を含む請求項１５に記載の非一時的コンピュータメモリ。
【請求項１７】
前記送信した情報はスクロールするテキストベースのメッセージングインターフェースの一部としての表示に適合するようにフォーマットされた請求項１５に記載の非一時的コンピュータメモリ。
【請求項１８】
前記送信した情報は、価格への清算機関のマトリクスとして表示に適合するようにフォーマットされる請求項１５に記載の非一時的コンピュータメモリ。